(57)【要約】【課題】好適にコンテンツを視聴者に配信するコンテンツ配信システムを提供する。【解決手段】無線端末４０は、自己の現在位置を判別し、判別した現在位置の情報をコンテンツ配信サーバ１０に送信する。コンテンツ配信サーバ１０は、現在位置情報を受信し、受信した現在位置情報に対応するコンテンツを検索し、無線端末１０に送信する。無線端末１０は、コンテンツを受信し、格納する。無線端末１０は、コンテンツ配信サーバ１０より受信したコンテンツ、又は、自己が格納するコンテンツを出力する。【選択図】図１
2008252692.tif 000002
【特許請求の範囲】
【請求項１】
コンテンツを格納するコンテンツ配信サーバと、無線によって前記コンテンツ配信サーバと接続され、前記コンテンツを出力可能な無線端末と、を備えるコンテンツ配信システムであって、
前記無線端末は、
自己の現在位置を判別する位置判別手段と、
前記位置判別手段が判別した当該無線端末の現在位置の情報である現在位置情報を前記コンテンツ配信サーバに送信する現在位置情報送信手段と、を備え、
前記コンテンツ配信サーバは、
前記情報送信手段が送信した現在位置情報を受信し、受信した現在位置情報に対応するコンテンツを検索し、前記無線端末に送信するコンテンツ送信手段を備え、
前記無線端末は、
前記コンテンツ送信手段が送信したコンテンツを受信し、格納するコンテンツ格納手段と、
前記コンテンツ送信手段より受信したコンテンツ、又は、前記コンテンツ格納手段が格納するコンテンツを出力するコンテンツ出力手段と、を備える、
ことを特徴とするコンテンツ配信システム。
【請求項２】
前記無線端末は、
前記コンテンツ配信サーバと接続不可能である場合に、前記位置判別手段が判別した自己の現在位置に対応するコンテンツを、前記コンテンツ格納手段より検索し、
検索したコンテンツを前記コンテンツ出力手段に出力させる、
ことを特徴とする請求項１に記載のコンテンツ配信システム。
【請求項３】
前記無線端末は、
前記位置判別手段に定期的に自己の現在位置を判別させ、
定期的に判別した自己の現在位置を記憶し、
記憶している自己の現在位置と、新たに前記位置判別手段に判別させた自己の現在位置とが同じ場合は、前記現在位置情報送信手段に前記自己の現在位置の情報を送信させないように制御する、
ことを特徴とする請求項１又は２に記載のコンテンツ配信システム。
【請求項４】
前記コンテンツ配信システムは、
さらに複数の基地局を備え、
前記無線端末は、
前記複数の基地局の何れか一つを介して前記コンテンツ配信サーバと接続し、
自己と前記コンテンツ配信サーバとを接続する基地局に基づいて、前記位置判別手段に該無線端末の現在位置を判別させる、
ことを特徴とする請求項１乃至３の何れか１項に記載のコンテンツ配信システム。
【請求項５】
前記無線端末は、
全地球測位システム受信装置を備え、該全地球測位システム受信装置を使用して前記位置判別手段に該無線端末の現在位置を判別させる、
ことを特徴とする請求項１乃至３の何れか１項に記載のコンテンツ配信システム。
【発明の詳細な説明】
【技術分野】
【０００１】
本発明は、視聴者のいる位置に対応するコンテンツを視聴者に配信するコンテンツ配信システムに関する。
【背景技術】
【０００２】
現在、コンテンツを無線端末に配信するコンテンツ配信システムが実用化されている。
【０００３】
例えば、特許文献１には、無線端末が、コンテンツ提供者からコンテンツの一覧情報を受信し、受信したコンテンツ一覧情報と自己の現在位置とに基づいて選択したコンテンツをコンテンツ提供者に要求する技術が開示されている。
【０００４】
【特許文献１】特開２００６−１９９２４号公報
【発明の開示】
【発明が解決しようとする課題】
【０００５】
しかし、特許文献１の技術では、コンテンツを閲覧する時にコンテンツを取得することから、視聴者は、電波状況の悪い箇所では、迅速にコンテンツを取得することができなかった。
【０００６】
本発明は、上記問題点に鑑みてなされたもので、好適にコンテンツを視聴者に配信するコンテンツ配信システムを提供することを目的とする。
【課題を解決するための手段】
【０００７】
上記目的を達成するために、本発明の観点に係るコンテンツ配信システムは、
コンテンツを格納するコンテンツ配信サーバと、無線によって前記コンテンツ配信サーバと接続され、前記コンテンツを出力可能な無線端末と、を備えるコンテンツ配信システムであって、
前記無線端末は、
自己の現在位置を判別する位置判別手段と、
前記位置判別手段が判別した当該無線端末の現在位置の情報である現在位置情報を前記コンテンツ配信サーバに送信する現在位置情報送信手段と、を備え、
前記コンテンツ配信サーバは、
前記情報送信手段が送信した現在位置情報を受信し、受信した現在位置情報に対応するコンテンツを検索し、前記無線端末に送信するコンテンツ送信手段を備え、
前記無線端末は、
前記コンテンツ送信手段が送信したコンテンツを受信し、格納するコンテンツ格納手段と、
前記コンテンツ送信手段より受信したコンテンツ、又は、前記コンテンツ格納手段が格納するコンテンツを出力するコンテンツ出力手段と、を備える、
ことを特徴とする。
【０００８】
例えば、前記無線端末は、
前記コンテンツ配信サーバと接続不可能である場合に、前記位置判別手段が判別した自己の現在位置に対応するコンテンツを、前記コンテンツ格納手段より検索し、
検索したコンテンツを前記コンテンツ出力手段に出力させてもよい。
【０００９】
例えば、前記無線端末は、
前記位置判別手段に定期的に自己の現在位置を判別させ、
定期的に判別した自己の現在位置を記憶し、
記憶している自己の現在位置と、新たに前記位置判別手段に判別させた自己の現在位置とが同じ場合は、前記現在位置情報送信手段に前記自己の現在位置の情報を送信させないように制御してもよい。
【００１０】
例えば、前記コンテンツ配信システムは、
さらに複数の基地局を備え、
前記無線端末は、
前記複数の基地局の何れか一つを介して前記コンテンツ配信サーバと接続し、
自己と前記コンテンツ配信サーバとを接続する基地局に基づいて、前記位置判別手段に該無線端末の現在位置を判別させてもよい。
【００１１】
例えば、前記無線端末は、
全地球測位システム受信装置を備え、該全地球測位システム受信装置を使用して前記位置判別手段に該無線端末の現在位置を判別させてもよい。
【発明の効果】
【００１２】
本発明によれば、コンテンツ配信システムによって好適にコンテンツを視聴者に配信することができる。
【発明を実施するための最良の形態】
【００１３】
以下、本発明の実施形態に係るコンテンツ配信システム１００を説明する。コンテンツ配信システム１００は、無線端末にコンテンツを配信する。
【００１４】
コンテンツ配信システム１００は、図１に示すように、コンテンツ配信サーバ１０と、ネットワーク２０と、基地局３０−１〜３０−Ｌと、無線端末４０と、から構成される。
【００１５】
コンテンツ配信サーバ１０は、無線端末４０の位置に対応したコンテンツを検索し、配信する。
【００１６】
コンテンツ配信サーバ１０は、ＣＰＵ（Central Processing Unit）１１と、ＲＯＭ（Read Only Memory）１２と、ＲＡＭ（Random Access Memory）１３と、通信制御部１４と、記憶部１５と、から構成される。
【００１７】
ＣＰＵ１１は、コンテンツ配信サーバ１０全体の動作を制御する。また、ＣＰＵ１１は、ＲＯＭ１２に格納されているプログラムを実行することにより、コンテンツの検索と送信とに関する処理を行う。処理の内容については、後述する。
【００１８】
ＲＯＭ１２は、ＣＰＵ１１の動作プログラムを記憶する。動作プログラムの詳細については後述する。
【００１９】
ＲＡＭ１３は、ＣＰＵ１１のワークエリアとして機能する。
【００２０】
通信制御部１４は、ネットワーク２０に接続され、他装置と間でデータの送受信を行う。
【００２１】
記憶部１５は、ハードディスク装置等から構成され、図４に示すようなコンテンツ情報１５１等を格納する。
【００２２】
コンテンツ情報１５１は、コンテンツ配信サーバ１０が格納するコンテンツに関する情報であり、図４に示すように、それらのコンテンツの名称、内容、それらのコンテンツが対応する地域（ここでは、基地局３０の通信エリア）等の情報から構成される。
【００２３】
ネットワーク２０は、ＩＰ（Internet Protocol）によって制御され、様々なデータを伝送するネットワークである。ネットワーク２０は、コンテンツ配信サーバ１０と、基地局３０−１〜３０−Ｌと、に接続される。
【００２４】
基地局３０−１〜３０−Ｌは、それぞれ自己の通信エリア内の無線端末４０と無線接続し、ネットワーク２０を介してコンテンツ配信サーバ１０と有線接続する。また、基地局３０−１〜３０−Ｌは、定期的に自己の位置を示す位置情報を自己の通信エリア内の無線端末４０に向けて発信する。
【００２５】
無線端末４０は、基地局３０−１〜３０−Ｌのうちの何れかより位置に関する情報を受信し、受信した情報に基づいて自己の現在位置を判別し、その現在位置をコンテンツ配信サーバ１０に送信する。また、無線端末４０は、コンテンツ配信サーバ１０よりコンテンツを受信し、格納又は出力する。
【００２６】
無線端末４０は、無線送受信部４１と、通信制御部４２と、出力装置４３と、出力制御部４４と、ＣＰＵ（Central Processing Unit）４５と、ＲＯＭ（Read Only Memory）４６と、ＲＡＭ（Random Access Memory）４７と、記憶部４８と、操作部４９と、から構成される。
【００２７】
無線送受信部４１は、通信制御部４２の制御のもと、基地局３０−１〜３０−Ｌのうちのいずれかとの間で無線によるデータの送受信を行う。
【００２８】
通信制御部４２は、無線送受信部４１による基地局３０−１〜３０−Ｌとの電波送受信を制御する。
【００２９】
出力装置４３は、画像や音声を出力する。例えば、出力装置４３は、ＬＣＤ（Liquid Crystal Display）、有機ＥＬ（Electroluminescence）等のディスプレイとスピーカなどから構成される。
【００３０】
出力制御部４４は、ＣＰＵ４５の制御のもと、画像ファイルや音声ファイルなどのデータを出力装置４３が出力可能なデータ形式に変換し、出力装置４３に供給する。
【００３１】
ＣＰＵ４５は、無線端末４０全体の動作を制御する。また、ＣＰＵ４５は、ＲＯＭ４６に格納されているプログラムを実行することにより、現在位置情報の送信とコンテンツの出力に関する処理を行う。処理の内容については、後述する。
【００３２】
ＲＯＭ４６は、ＣＰＵ４５の動作プログラムを記憶する。動作プログラムの詳細については後述する。
【００３３】
ＲＡＭ４７は、ＣＰＵ４５のワークエリアとして機能する。
【００３４】
記憶部４８は、ハードディスク装置等から構成され、コンテンツ配信サーバ１０より受信したコンテンツや基地局３０から受信した位置情報等を格納する。
【００３５】
操作部４９は、操作キー等から構成され、ユーザから操作を受け付け、操作に応じた操作信号をＣＰＵ４５に送出する。
【００３６】
以下、上記構成を有するコンテンツ配信システム１００の動作を説明する。
【００３７】
図５に示すシーケンス図を参照して、コンテンツ配信システム１００におけるコンテンツの配信と出力等の一連の処理の一例を説明する。
【００３８】
先ず、前提条件として無線端末４０は、図１に示すように基地局３０−２の通信エリア内にいると仮定する。
【００３９】
基地局３０−２は、定期的に自己の位置に関する位置情報を自己の通信エリア内の無線端末に発信する（ステップ＃１）。
【００４０】
無線端末４０は、基地局３０−２が発信した位置情報を受信すると（ステップ＃２）、受信した位置情報が、記憶部４８に格納されている位置情報と同じであるか否かを判別する（ステップ＃３）。
【００４１】
受信した位置情報と、記憶部４８に格納されている位置情報とが同じでなければ、無線端末４０は、コンテンツ配信サーバ１０に基地局３０−２の位置情報を送信する（ステップ＃４）。
【００４２】
コンテンツ配信サーバ１０は、無線端末４０が送信した位置情報を受信すると（ステップ＃５）、受信した位置情報に対応するコンテンツをコンテンツ情報１５１より検索する（ステップ＃６）。
【００４３】
ここでは、基地局３０−２に対応する「ＮＯ．３」の「寿司屋『魚正』」などのコンテンツが検索される。
【００４４】
コンテンツ配信サーバ１０は、検索したコンテンツを無線端末４０に送信する（ステップ＃７）。
【００４５】
無線端末４０は、コンテンツ配信サーバ１０が送信したコンテンツを受信すると、受信したコンテンツを格納し、出力する（ステップ＃９）。
【００４６】
この処理のフローは、あくまでも一例であるが、このようにしてコンテンツ配信システム１００は、無線端末４０の現在位置に応じたコンテンツを定期的に配信する。
【００４７】
次に、コンテンツ配信システム１００を構成する各装置の実際の処理を、図６，７を参照しながら説明する。
【００４８】
先ず、無線端末４０が行うコンテンツ出力処理を説明する。簡単に説明すると、無線端末４０は、基地局３０より位置情報を受信すると、受信した位置情報をコンテンツ配信サーバ１０に送信し、それに応答して返信されたコンテンツを格納し、出力する。
【００４９】
以下、図６に示すフローチャートを参照しながら、コンテンツ出力処理を詳細に説明する。
【００５０】
先ず、基地局３０より位置情報を受信すると、ＣＰＵ４５は、記憶部４８に格納している位置情報を取得する（ステップＳ１１）。
【００５１】
ＣＰＵ４５は、基地局３０より受信した位置情報と、記憶部４８に格納している位置情報とが同じであるか否かを判別する（ステップＳ１２）。
【００５２】
基地局３０より受信した位置情報と、記憶部４８に格納している位置情報とが同じであると判別すると（Ｓ１２；ＹＥＳ）、ＣＰＵ４５は、処理を終了する。
【００５３】
基地局３０より受信した位置情報と、記憶部４８に格納している位置情報とが異なると判別すると（Ｓ１２；ＮＯ）、ＣＰＵ４５は、記憶部４８に格納している位置情報を、基地局３０より受信した位置情報に更新する（ステップＳ１３）。
【００５４】
ＣＰＵ４５は、更新した位置情報をコンテンツ配信サーバ１０に送信する（ステップＳ１４）。
【００５５】
ＣＰＵ４５は、コンテンツ配信サーバ１０よりコンテンツを受信したか否かを判別する（ステップＳ１５）。
【００５６】
コンテンツ配信サーバ１０よりコンテンツを受信したと判別すると（Ｓ１５；ＹＥＳ）、ＣＰＵ４５は、受信したコンテンツを格納し、出力し（ステップＳ１６）、処理を終了させる。
【００５７】
コンテンツ配信サーバ１０よりコンテンツを受信していないと判別すると（Ｓ１５；ＮＯ）、ＣＰＵ４５は、ステップＳ１４において位置情報を送信してから所定の時間が経過したか否かを判別する（ステップＳ１７）。
【００５８】
所定の時間が経過していないと判別すると（Ｓ１７；ＮＯ）、ＣＰＵ４５は、処理をステップＳ１５に戻す。
【００５９】
所定の時間が経過していると判別すると（Ｓ１７；ＹＥＳ）、ＣＰＵ４５は、記憶部４８に格納しているコンテンツより、記憶部４８に格納している位置情報に対応するコンテンツを検索する（ステップＳ１８）。
【００６０】
ＣＰＵ４５は、ステップＳ１８において検索した結果、対応するコンテンツがあるか否かを判別する（ステップＳ１９）。
【００６１】
対応するコンテンツがないと判別すると（Ｓ１９；ＮＯ）、ＣＰＵ４５は、処理を終了する。
【００６２】
対応するコンテンツがあると判別すると（Ｓ１９；ＹＥＳ）、ＣＰＵ４５は、対応するコンテンツを出力し（ステップＳ２０）、処理を終了させる。
【００６３】
このようにして、コンテンツ出力処理によれば、無線端末４０は、自己の現在位置に対応するコンテンツを出力することができる。
【００６４】
次に、図７に示すフローチャートを参照しながら、コンテンツ配信サーバ１０が行うコンテンツ送信処理を説明する。
【００６５】
先ず、無線端末４０より位置情報を受信すると、ＣＰＵ１１は、受信した位置情報に対応するコンテンツをコンテンツ情報１５１より検索する（ステップＳ３１）。
【００６６】
ＣＰＵ１１は、検索した結果、該当するコンテンツを、位置情報を送信した無線端末４０に送信し（ステップＳ３２）、処理を終了させる。
【００６７】
このようにして、コンテンツ送信処理によれば、コンテンツ配信サーバ１０は、無線端末４０の位置に応じたコンテンツを送信することができる。
【００６８】
以上、本実施形態に係るコンテンツ配信システム１００によれば、無線端末の位置に応じたコンテンツを配信することができる。また、無線端末とコンテンツ配信サーバとの間で接続不可能である場合にも、過去のコンテンツを格納しておくことによって、無線端末の位置に応じたコンテンツを出力することができる。
【００６９】
なお、本発明は上記実施形態に限定されず、種々の変形及び応用が可能である。
【００７０】
上記実施形態では、無線端末４０は、基地局３０が発信した位置情報によって現在位置を判別した。しかし、無線端末４０が、全地球測位システム受信装置を備えるようにし、全地球測位システム受信装置を使用して自己の現在位置を判別するようにしてもよい。
【図面の簡単な説明】
【００７１】
【図１】本発明の実施形態に係るコンテンツ配信システムの構成図である。
【図２】図１のコンテンツ配信サーバの構成図である。
【図３】図１の無線端末の構成図である。
【図４】コンテンツ情報を示す表である。
【図５】本発明の実施形態に係るコンテンツ配信システムの動作を説明するためのシーケンス図である。
【図６】コンテンツ出力処理を説明するためのフローチャートである。
【図７】コンテンツ送信処理を説明するためのフローチャートである。
【符号の説明】
【００７２】
１０    コンテンツ配信サーバ
１１    ＣＰＵ
１２    ＲＯＭ
１３    ＲＡＭ
１４    通信制御部
１５    記憶部
２０    ネットワーク
３０    基地局
４０    無線端末
４１    無線送受信部
４２    通信制御部
４３    出力装置
４４    出力制御部
４５    ＣＰＵ
４６    ＲＯＭ
４７    ＲＡＭ
４８    記憶部
４９    操作部
１００  コンテンツ配信システム
１５１  コンテンツ情報
【図１】
2008252692.tif 000003
【図２】
2008252692.tif 000004
【図３】
2008252692.tif 000005
【図４】
2008252692.tif 000006
【図５】
2008252692.tif 000007
【図６】
2008252692.tif 000008
【図７】
2008252692.tif 000009